(57)【特許請求の範囲】
【請求項１】
開口を有してその内部に開閉器を収納した箱体と、前記開閉器のハンドルを露出する窓孔を有するとともに検知用の露出穴を有して前記開口を閉塞した蓋体と、この蓋体に開閉自在に取着されて前記窓孔を塞ぐカバーと、前記蓋体の前記露出穴に光が達しないように取着されて前記蓋体の外方を照明するランプと、前記蓋体の裏面側に取着される取着部を有し前記検知用の露出穴に露出し前記蓋体の外部の暗さを検知して前記ランプを点灯する検知部を有して前記ランプにリード線を介して接続されたセンサとを備え、
前記蓋体は周縁に突条部を有して中央部が奥段に形成され、前記中央部に前記カバーを設けるとともに前記箱体との取付部を設け、前記突条部の裏面側にリード線を収納するリード線収納溝を形成し、
前記センサおよび前記ランプが前記突条部に配置されていることを特徴とする分電盤。
【請求項２】
前記露出穴は前記蓋体の一側面に形成された切欠であり、前記ランプは前記蓋体の前記一側面以外の側面に取着されている請求項１記載の分電盤。
【請求項３】
前記検知部は前記露出穴に対して進退自在である請求項１または請求項２記載の分電盤。
【発明の詳細な説明】
【０００１】
【発明の属する技術分野】
この発明は、周囲が暗くなったときに発光するランプを有する住宅用分電盤等の分電盤に関するものである。
【０００２】
【従来の技術】
近年、集合住宅やマンション等に使用される住宅用分電盤は、分電盤の周囲が暗くなったときにランプを点灯させ、分岐開閉器が強制開極されたときに分岐開閉器を再投入させ易いように分電盤の位置を示したり、分電盤自体が玄関付近に配設されるので、緊急時の脱出用の常夜灯（非常灯）として使用されたりしている。
【０００３】
従来のこの種の分電盤は、たとえば図１６に示すように、周囲が暗くなると外蓋１０６に取着されたセンサ１０８が検知し、このセンサ１０８に箱体１０３内に挿通されるリード線（図示せず）を介して接続されかつ枠体１０４に取着されているランプ１０７が自動的に点灯する。詳しくは、ランプ１０７と主幹開閉器１０１とを電気的に接続し、ランプ１０７にリード線を介して接続されたセンサ１０８が周囲の暗さを検知したときにランプ１０７に電力を供給するものである。１００はハンドル、１０２は分岐開閉器、１０５は中蓋である。
【０００４】
【発明が解決しようとする課題】
しかし、この分電盤は、センサ１０８が外蓋１０６に取着されるとともに、このセンサ１０８に箱体１０３内に挿通されるリード線を介してランプ１０７を接続しているので、外蓋１０６を開閉するたびにリード線が一緒に移動することとなり、外蓋１０６を閉めるときにリード線が外蓋１０６と枠体１０４との間に挾み込まれて断線する恐れがあった。
【０００５】
したがって、この発明の目的は、センサとランプとを接続するリード線が断線しにくい分電盤を提供することである。
【０００６】
【課題を解決するための手段】
請求項１の分電盤は、開口を有してその内部に開閉器を収納した箱体と、前記開閉器のハンドルを露出する窓孔を有するとともに検知用の露出穴を有して前記開口を閉塞した蓋体と、この蓋体に開閉自在に取着されて前記窓孔を塞ぐカバーと、前記蓋体の前記露出穴に光が達しないように取着されて前記蓋体の外方を照明するランプと、前記蓋体の裏面側に取着される取着部を有し前記検知用の露出穴に露出し前記蓋体の外部の暗さを検知して前記ランプを点灯する検知部を有して前記ランプにリード線を介して接続されたセンサとを備え、
前記蓋体は周縁に突条部を有して中央部が奥段に形成され、前記中央部に前記カバーを設けるとともに前記箱体との取付部を設け、前記突条部の裏面側にリード線を収納するリード線収納溝を形成し、
前記センサおよび前記ランプが前記突条部に配置されていることを特徴とするものである。
【０００７】
請求項１の分電盤によれば、センサが蓋体の裏面に取着されるので、センサをランプに電気的に接続するリード線がカバーの開閉に無関係となり、カバーの開閉作業のときにリード線が断線するおそれがなくなる。またリード線をリード線収納溝内に収納した状態で蓋体を箱体に取付けると、蓋体と箱体との連結の際、リード線が蓋体と箱体との間に入り込まなくなり、リード線が断線しなくなる。
請求項２の分電盤は、請求項１において、前記露出穴が前記蓋体の一側面に形成された切欠であり、前記ランプは前記蓋体の前記一側面以外の側面に取着されているものである。
【０００８】
請求項２の分電盤によれば、請求項１の効果のほか、簡単な構成によりランプの光をセンサで検知しにくくでき、ランプの点灯および消灯の制御が確実にできる。
請求項３の分電盤は、請求項１または請求項２において、前記検知部が前記露出穴に対して進退自在としたものである。
【０００９】
請求項３の分電盤によれば、請求項１または請求項２の効果のほか、検知部を蓋体の一側面に対して進退させることができるので、ランプを点灯させたり消灯させたりする明るさを調整することができる。
【００１１】
【発明の実施の形態】
この発明の一実施の形態を図１ないし図１５により説明する。すなわち、この分電盤は、箱体１と、蓋体２と、カバー３と、ランプ４と、センサ３９とを有する。
箱体１は、開口６を有してその内部に開閉器７を収納している。実施の形態では図１に示すように、底板１ａおよび四周側板１ｂ〜１ｅにより形成され、底板１ａに対向する面に開口６を形成している。箱体１の取付姿勢における上側の側板１ｂを切欠いて通線板８を取着し、通線板８に多数の通線孔９を形成し、下側の側板１ｃに通線用のノックアウト孔部９′（図８参照）を形成している。この箱体１内に内器として開閉器７等が収納され、開閉器７はブレーカを用いた主幹開閉器１０、分岐開閉器１１およびランプ用開閉器１２からなっている。
【００１２】
主幹開閉器１０のハンドル１８を開口６側として基板１４の略中央の位置に取着されている。この基板１４はその両端部が箱体１の相対向する側板１ｄ，１ｅ上に取着されている。すなわち、基板１４の両端部に取付け段部１５を設け、この取付け段部１５が箱体１の両側板１ｄ，１ｅの上端部に載せられ、取付け段部１５に形成しただるま形孔１６ａを通してねじ等の取付具１６により取着されている。基板１４の主幹開閉器１０の左側にはリミッタ取付板１３を取付けている。そして、主幹開閉器１０の入力側すなわち１次側がリミッタ取付板１３に取付けられたリミッタ（図示せず）を介してまたはリミッタを介さずに供給電源に接続されている。７０は蓋体取付部、１１６は主幹開閉器１０の２次側に接続されて分岐開閉器１１の１次側に接続する接続部である。
【００１３】
複数の分岐開閉器１１は、箱体１内の主幹開閉器１０の一側面側、すなわち開口６からみて右側に横２列に並んでいる。これらの分岐開閉器１２は図２に示すように、分岐開閉器用フレーム１４ａに取着され、分岐開閉器用フレーム１４ａで基板１４と取付け段部１５とをねじ等を用いた連結具１１７により連結している（図３参照）。また分岐開閉器１１は主幹開閉器１０の出力側すなわち２次側に接続されている。
【００１４】
ランプ用開閉器１２は、箱体１内の主幹開閉器１０の他側面側すなわち主幹開閉器１０の左側にリミッタ取付板１３を介して取付けられている。具体的には、基板１４の一端部に箱体１の底板１ａ側に落とし込んだ落込み部１１５を形成し、この落込み部１１５にランプ用開閉器１２を取着している。落込み部１１５は取付け段部１５の側板部を取付け段部１５の裏面側に切起こすことにより形成している。また主幹開閉器１０の１次側とランプ用開閉器１２の１次側とが送り線（図示せず）により接続されている。
【００１５】
コネクタ受け７３はランプ用開閉器１２の出力側である２次側の近傍において基板１４に形成した取付孔９０に先端を蓋体２側として挿入され、コネタク受け７３の両側に設けた取付具９１（図５参照）で取付孔９０の孔縁を挟持して固定されている。コネクタ受け７３とランプ用開閉器１２の出力側がリード線９３により接続されている。
【００１６】
蓋体２は、開閉器７のハンドル１８を露出する窓孔１９を有するとともに、検知用の露出穴５６を有して開口６を閉塞している。また蓋体２はランプ用開閉器１２のハンドル１８ａを露出する窓孔１９ａをも有する（図１参照）。露出穴５６は蓋体２の一側面に切欠により形成している。また蓋体２の平面形状が図７および図８に示すように箱体１よりも大きく形成され、周縁部の全周が箱体１よりも外方に張出している。この蓋体２の周縁部の表面側に突条部２０を有して中央部が奥段に形成され、その中央部にカバー３を設けるとともに箱体１の取付部７０に取付具により取付ける取付部５９を設け、突条部２０の裏面側で箱体１よりも外方に張出した部分の外周にリード線を収納するリード線収納溝４０を形成している（図１１参照）。また蓋体２のコネクタ受け７３を視認可能な位置にコネクタ挿通孔７６を設け、蓋体２の取付け状態でコネクタ受け７３の先端がコネクタ挿通孔７６よりも箱体１の内方に位置するようにしている。また突条部２０に切欠凹部２１を有し、切欠凹部２１は窓孔１９側と外周面とに両端が開口している（図９参照）。この蓋体２は箱体１の開口６を塞ぐように箱体１に取着され、窓孔１９，１９ａよりハンドル１８，１８ａを突出させている。６８はリミッタ露出部である。
【００１７】
カバー３は、突条部２０の内方側で窓孔１９，１９ａを開閉自在に閉塞するものである。このカバー３は蓋体２の切欠凹部２１と反対側の周縁部に回動自在に支持され、カバー３を開閉操作する開閉操作部２２をランプカバー５に接近した位置に設けている。回動機構については、軸５７を蓋体２側に設け（図１２参照）、軸受け５８をカバー３に設け、これらを軸方向の３箇所に配置している。また開閉操作部２２は、ランプカバー５に対する対向面にランプカバー５を閉じた状態で指先が挿入可能な指先挿入凹部２３（図８参照）を形成している。カバー３の開閉端は凹部１７に嵌合する壁部５３を設け、閉じた状態で壁部５３が凹部１７の内側面に当たるようにして、容易にカバー３が開かないようにしている（図１２参照）。３５はカバー３の開閉側に突設した被挟持片５１を挟持保持する保持部である。
【００１８】
ランプ４は、蓋体２の露出穴５６に光が達しないように取着されて蓋体２の外方を照明するもので、蓋体２の露出穴５６を形成した一側面以外の側面に取着されている。実施の形態では露出穴５６が突条部２０の上端側の一側部に設けられ、ランプ４が突条部２０の下端側の中央位置に形成された切欠凹部２１に収納されている。ランプ４を装着するランプソケット２４は、蓋体２の周縁部に沿った方向の一端部２５に取付けられ、ランプ４の先端は他端部２６に向けて配置されている。ランプソケット２４の取付構造について、図９および図１０に示すようにランプソケット２４を差し込ませて挟持する挟持部２７を切欠凹部２１に設け、ランプソケット２４を差し込んだときに凹凸嵌合する抜止め用の凹凸嵌合部２８をランプソケット２４および挟持部２７の接触面に設けている。ランプソケット２４はランプ４の口金４ａをねじ込ませる筒部３６を突出した長方体をなしている。挟持部２７は切欠凹部２１の底面側に設けられてランプソケット２４の一側面を支持する一対の受け台３０と、切欠凹部２１の一端部２５より受け台３０に対向するように突出してランプソケット２４の他側面を支持する弾性を有する挟持片３１からなり、受け台３０はランプソケット２４の角縁に係合する係合突部３２を設けている。また凹凸嵌合部２８は挟持片３１に設けられた嵌合凹部３３と、ランプソケット２４に設けた嵌合凸部３４からなっている。したがって、ランプソケット２４を挟持部２７に差し込むと、挟持片３１が弾性変形して受け台３０と挟持片３１との間に係合突部３２にガイドされながら挟持されるとともに嵌合凸部３４が嵌合凹部３３に凹凸嵌合して固定される。６５はランプソケット２４のリード線接続孔である。
【００１９】
一方、切欠凹部２１のランプソケット２４の近傍の壁面、すなわちランプソケット２４が取付けられている一端部２５に蓋体２の裏面に連通するリード線挿通孔３７を形成している。リード線挿通孔３７を通してリード線３８が切欠凹部２１内に導き出され、ランプソケット２４に接続される。ランプソケット２４は明るさを検知するセンサ３９を介してランプ用開閉器１２に接続されるもので、ランプソケット２４に接続されたリード線３８は図８に示すように蓋体２の箱体１よりも外方に突出した周縁部の裏面のリード線収納溝４０を通ってセンサ３９に接続されている。リード線３８を配線するリード線収納溝４０が箱体１よりも外方に突出した部分であるため箱体１にリード線３８が当たって断線する等のおそれがない。そしてセンサ３９より蓋体２の孔７５を通して蓋体２の前面に引き出したリード線３８の先端に雄または雌のコネクタ７３ａを設け、このコネクタ７３ａを雌または雄のコネクタ受け７３に接続し、これによりランプ用開閉器１２に接続している。
【００２０】
センサ３９は、蓋体２の裏面側に取着される取着部１２０を有し、検知用の露出穴５６に露出しかつ蓋体２の外部の暗さを検知してランプ４を点灯する検知部１２１を有して、ランプ４にリード線３８を介して接続されている。検知部１２１は露出穴５６に対して進退自在である。これは、取着部１２０を長孔１２０ａと、この長孔１２０ａに挿通され蓋体２のねじ孔１２３に螺着される取付ねじ１２０ｂとにより構成し、取付ねじ１２０ｂを緩めて長孔１０２ａに沿って移動することにより検知部１２１を露出穴５６に進退することができる。図１３は検知部１２１が露出穴５６の内部に位置した状態、図１４はセンサ３９を移動して検知部１２１を露出穴５６より突出した状態である。センサ３９は図１１に示すように蓋体２の上端部の露出穴５６の裏面に設置されているので、分電盤の周囲が暗くなると所定量以下の明るさを検知して接点がオンとなりランプ用開閉器１２の２次側の電力をランプ４に給電し点灯する。このとき、検知部１２１が露出穴５６より外部に露出するほどより多くの外部光を検知することができるのでセンサ３９の感度がよくなる。一方ランプ４が点灯しても露出穴５６の位置がランプ光が当たらない位置であるのでセンサ３９はランプ４の光の影響をほとんど受けない。６６はリード線押さえである。１２２はセンサ３９の位置決め突起である。
【００２１】
コネクタ７３ａは、ランプ４に接続されたリード線３８の先端に接続されてコネクタ挿通孔７６を通して、コネクタ受け７３に接続されている。またコネクタ受け７３とコネクタ７３ａの接続を解除する解除部１１０の操作部１１２をコネクタ挿通孔７６よりも箱体１と反対側に設けている。この解除部１１０は、図３に示すようにコネクタ７３ａの側面に突出した支持部１１１と、この支持部１１１からコネクタ７３ａに略平行に後端側に延びた操作部１１２と、支持部１１１からコネクタ７３ａに略平行に先端側に延びた爪部１１３からなっている。また爪部１１３が係止する係止部１１４をコネクタ受け７３に設けている。コネクタ７３ａをコネクタ受け７３に差し込むと、解除部１１０の樹脂弾性により、爪部１１３が係止部１１４を乗り越えて係止部１１４に抜止め係止する。また操作部１１２をコネクタ７３ａの側面に接近する方向につまむと、支持部１１１を支点につまみ部１１２が弾性変形し、その反対に爪部１１３がコネクタ７３ａの側面から離れる方向に移動して、係止部１１４から離れ、これによりコネクタ７３ａの係止が解除され、コネクタ７３ａをコネクタ受け７３から引くことにより接続を外すことができる。
【００２２】
ランプカバー５は透光性であり、切欠凹部２１を塞ぐものである。このランプカバー５は蓋体２の突条部２０の断面形状に合わせてコ字形に形成され、一端に角形の取付孔部６０を設け、他端に引掛爪６１を設けている。一方、切欠凹部２１の底面に取付孔部６０を引っ掛ける突部６２（図１１）を設け、引掛爪６１を引っ掛ける引掛孔６３を形成している。
【００２３】
この実施の形態によれば、センサ３９が蓋体２の裏面に取着されるので、センサ３９をランプ４に電気的に接続するリード線３８がカバー３の開閉に無関係となり、カバー３の開閉作業のときにリード線３８が断線するおそれがなくなる。
また蓋体２が、開閉器７のハンドル１８，１８ａを露出する窓孔１９，１９ａを有するため、簡単な構成によりランプ４の光をセンサ３９で検知しにくくでき、ランプ４の点灯および消灯の制御が確実にできる。
【００２４】
さらに検知部１２１が露出穴５６に対して進退自在としたため、検知部１２１を蓋体２の一側面に対して進退させることができるので、ランプ４を点灯させたり消灯させたりする明るさを調整可能とすることができる。
また蓋体２が周縁に突条部２０を有して中央部が奥段に形成され、その中央部にカバー３を設けるとともに箱体１との取付部５９を設け、突条部２０の裏面側にリード線３８を収納するリード線収納溝４０を形成したため、リード線３８をリード線収納溝４０内に収納した状態で蓋体２を箱体１に取付けると、蓋体２と箱体１との連結の際、リード線３８が蓋体２と箱体１との間に入り込まなくなり、リード線３８が断線しなくなる。
【００２５】
【発明の効果】
請求項１の分電盤によれば、センサが蓋体の裏面に取着されるので、センサをランプに電気的に接続するリード線がカバーの開閉に無関係となり、カバーの開閉作業のときにリード線が断線するおそれがなくなる。またリード線をリード線収納溝内に収納した状態で蓋体を箱体に取付けると、蓋体と箱体との連結の際、リード線が蓋体と箱体との間に入り込まなくなり、リード線が断線しなくなる。
請求項２の分電盤によれば、請求項１の効果のほか、簡単な構成によりランプの光をセンサで検知しにくくでき、ランプの点灯および消灯の制御が確実にできる。
【００２６】
請求項３の分電盤によれば、請求項１または請求項２の効果のほか、検知部を蓋体の一側面に対して進退させることができるので、ランプを点灯させたり消灯させたりする明るさを調整可能とすることができる。
【図面の簡単な説明】
【図１】この発明の一実施の形態の内器を取付ける前の分電盤の分解斜視図である。
【図２】開閉器および基板の分解斜視図である。
【図３】蓋体を外した状態の正面図である。
【図４】分電盤のカバーを開いた状態の正面図である。
【図５】コネクタを示す部分断面図である。
【図６】コネクタを外した状態を示す部分斜視図である。
【図７】分電盤の斜視図である。
【図８】分電盤の取付状態の底面図である。
【図９】ランプカバーを外した状態の部分斜視図である。
【図１０】ランプカバーおよびランプソケットを外した状態の部分斜視図である。
【図１１】蓋体の裏面図である。
【図１２】分電盤の断面図である。
【図１３】センサを示す蓋体の部分裏面図である。
【図１４】検知部を突出した状態の部分裏面図である。
【図１５】センサを示す蓋体の部分斜視図である。
【図１６】従来例の概略斜視図である。
【符号の説明】
１    箱体
２    蓋体
３    カバー
４    ランプ
５    ランプカバー
６    開口
７    開閉器
１８    ハンドル
１８ａ    ハンドル
１９    窓孔
１９ａ    窓孔
２０    突条部
３９    センサ
４０    リード線収納溝
５６    露出穴
５９    取付部
１２０    取着部
１２１    検知部
【図１】
0003551649.tif 000002
【図２】
0003551649.tif 000003
【図３】
0003551649.tif 000004
【図４】
0003551649.tif 000005
【図５】
0003551649.tif 000006
【図６】
0003551649.tif 000007
【図７】
0003551649.tif 000008
【図８】
0003551649.tif 000009
【図９】
0003551649.tif 000010
【図１０】
0003551649.tif 000011
【図１１】
0003551649.tif 000012
【図１２】
0003551649.tif 000013
【図１３】
0003551649.tif 000014
【図１４】
0003551649.tif 000015
【図１５】
0003551649.tif 000016
【図１６】
0003551649.tif 000017